【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列された複数のリールが停止した状態で、役毎に予め定められた入賞形態を示す図柄組合せが表示されたことに基づいて役が入賞するように設けられた遊技機であって、
ボーナスと小役とリプレイとを含む複数種類の役の当否を決定する内部抽選を行う内部抽選手段と、
前記複数のリールを回転させ、停止操作を契機として、前記内部抽選の結果に応じて前記複数のリールを停止させる制御を行うリール制御手段と、
前記小役の入賞を契機として遊技媒体を払出装置に払い出させる制御を行う払出制御手段と、
前記リプレイの入賞を契機として遊技者の所有する遊技媒体を要さずに遊技媒体を自動投入するリプレイ処理を行うリプレイ処理手段と、
通常状態と、当該通常状態より前記小役の入賞確率を高めたボーナス状態と、当該通常状態より前記リプレイの当選確率を高めたリプレイタイム状態とを含む複数種類の遊技状態の間で遊技状態を移行させ、前記ボーナスの入賞を契機として遊技状態を前記ボーナス状態へ移行させ、当該ボーナス状態の終了の後に遊技状態をリプレイタイム状態へ移行させる制御を行う遊技状態移行制御手段と、
複数種類の演出状態の間で演出状態を変化させ、当該複数種類の演出状態のうち第１特別演出状態と当該第１特別演出状態とは遊技者にとっての有利の度合いが異なる第２特別演出状態とでは、前記内部抽選で特定の役が当選したことを報知する報知演出を演出装置に実行させる制御を行う演出制御手段とを備え、
前記演出制御手段が、
前記内部抽選で前記ボーナスが当選した遊技から当該ボーナスの入賞に伴って移行する前記ボーナス状態が終了する遊技までの特定遊技区間における予め定められた契機において演出抽選を行い、
前記遊技状態が前記通常状態に設定されている遊技において前記ボーナスが当選することにより開始される前記特定遊技区間において行われた前記演出抽選に当選した場合には、前記ボーナス状態の終了の後に前記演出状態を前記第１特別演出状態に設定し、
前記遊技状態が前記リプレイタイム状態に設定されている遊技において前記ボーナスが当選することにより開始される前記特定遊技区間において行われた前記演出抽選に当選した場合には、前記ボーナス状態の終了の後に前記演出状態を前記第２特別演出状態に設定することを特徴とする遊技機。
【請求項２】
請求項１において、
前記第１特別演出状態を終了させるか否かを判定するための第１のカウンタと、
前記第２特別演出状態を終了させるか否かを判定するための第２のカウンタとを備え、
前記演出制御手段が、
前記演出状態が前記第１特別演出状態に設定されている場合には、第１の更新条件が成立する毎に前記第１のカウンタの値を更新し、当該第１のカウンタの値に応じて当該第１特別演出状態を終了させ、
前記演出状態が前記第１特別演出状態に設定されている場合に所定の強制終了条件が成立した場合には、前記第１のカウンタの値に関わらず当該第１特別演出状態を終了させるとともに、次回の前記ボーナス状態が終了するまで当該第１のカウンタの値を保持して、当該ボーナス状態を含む前記特定遊技区間において行われた前記演出抽選の結果に関わらず当該ボーナス状態の終了後に前記演出状態を当該第１特別演出状態に設定して、当該第１のカウンタの値の更新を再開し、
前記演出状態が前記第２特別演出状態に設定されている場合には、第２の更新条件が成立する毎に前記第２のカウンタの値を更新し、当該第２のカウンタの値に応じて当該第２特別演出状態を終了させ、
前記演出状態が前記第２特別演出状態に設定されている場合に前記所定の強制終了条件が成立した場合には、前記第２のカウンタの値に関わらず当該第２特別演出状態を終了させるとともに、次回の前記ボーナス状態が終了するまで当該第２のカウンタの値を保持して、当該ボーナス状態を含む前記特定遊技区間において行われた前記演出抽選の結果に関わらず当該ボーナス状態の終了後に前記演出状態を当該第２特別演出状態に設定して、当該第２のカウンタの値の更新を再開することを特徴とする遊技機。
【請求項３】
請求項２において、
前記演出制御手段が、
前記演出状態が前記第１特別演出状態に設定されている場合には、１回の前記報知演出が行われたことを前記第１の更新条件として、前記第１のカウンタの値を更新し、当該第１特別演出状態において前記所定の強制終了条件が成立した場合には、当該所定の強制終了条件の成立時点における値を次回の前記ボーナス状態が終了するまで保持し、
前記演出状態が前記第２特別演出状態に設定されている場合には、予め定められた複数回の前記報知演出が行われたことを前記第２の更新条件として、前記第２のカウンタの値を更新し、当該第２特別演出状態において前記所定の強制終了条件が成立した場合には、当該所定の強制終了条件の成立に伴って前記第２のカウンタの値を更新し、当該更新後の値を次回の前記ボーナス状態が終了するまで保持することを特徴とする遊技機。
【請求項４】
請求項１〜３のいずれかにおいて、
前記遊技状態移行制御手段が、
前記リプレイタイム状態で前記特定の役が入賞したことを契機として、遊技状態を前記通常状態へ移行させる制御を行うことを特徴とする遊技機。
【請求項５】
請求項１〜４のいずれかにおいて、
前記遊技状態が前記通常状態である場合に、所定条件下で値が更新される第３のカウンタを備え、
前記演出制御手段が、
前記第３のカウンタの値に応じて前記演出抽選の当選確率を調整することを特徴とする遊技機。
【請求項６】
外周面に複数種類の図柄が配列された複数のリールが停止した状態で、役毎に予め定められた入賞形態を示す図柄組合せが表示されたことに基づいて役が入賞するように設けられた遊技機であって、
ボーナスと小役とを含む複数種類の役の当否を決定する内部抽選を行う内部抽選手段と、
前記複数のリールを回転させ、停止操作を契機として、前記内部抽選の結果に応じて前記複数のリールを停止させる制御を行うリール制御手段と、
前記小役の入賞を契機として遊技媒体を払出装置に払い出させる制御を行う払出制御手段と、
通常状態と、当該通常状態より前記小役の入賞確率を高めたボーナス状態とを含む複数種類の遊技状態の間で遊技状態を移行させ、前記ボーナスの入賞を契機として遊技状態を前記ボーナス状態へ移行させる制御を行う遊技状態移行制御手段と、
複数種類の演出状態の間で演出状態を変化させ、当該複数種類の演出状態のうち第１特別演出状態と当該第１特別演出状態とは遊技者にとっての有利の度合いが異なる第２特別演出状態とでは、前記内部抽選で特定の役が当選したことを報知する報知演出を演出装置に実行させる制御を行う演出制御手段とを備え、
前記演出制御手段が、
前記内部抽選で前記ボーナスが当選した遊技から当該ボーナスの入賞に伴って移行する前記ボーナス状態が終了する遊技までの特定遊技区間における予め定められた契機において演出抽選を行い、
前記演出状態が前記第１特別演出状態および前記第２特別演出状態とは異なる演出状態に設定されている遊技において前記ボーナスが当選することにより開始される前記特定遊技区間において行われた前記演出抽選に当選した場合には、当該ボーナス状態の終了の後に前記演出状態を前記第１特別演出状態に設定し、
前記演出状態が前記第１特別演出状態あるいは前記第２特別演出状態に設定されている遊技において前記ボーナスが当選することにより開始される前記特定遊技区間において行われた前記演出抽選に当選した場合には、当該ボーナス状態の終了の後に前記演出状態を前記第２特別演出状態に設定することを特徴とする遊技機。